Podtech/llm-jp-corpus-v4-ja_patent huggingface dataset:
(57)【要約】【課題】画像処理システムを使用して割り出し位置の直行座標を測定する装置において、割り出し位置の座標を角度指令で調整しなければならない場合がある。【解決手段】画像処理システムで直行座標計測した値を用いて絶対角度誤差を算出することで、割り出し位置を角度として算出する。【選択図】図１
2015145843.tif 000002
【特許請求の範囲】
【請求項１】
画像処理システム（カメラによる座標計測）を利用して、回転物の割出し角度の絶対角度誤差を算出する方法。
【発明の詳細な説明】
【技術分野】
【０００１】
本発明は、画像処理システム（カメラによる直行座標計測）を利用して、回転機構の割出し角度における絶対角度誤差算出に関するものである。
【背景技術】
【０００２】
回転機構を持つ産業用装置等において、角度測定器を利用せず画像処理により、ワークの直行座標位置の測定結果を用いて、絶対角度誤差算出を行うことができる。
【発明の概要】
【０００３】
画像処理システムによりワークの直行座標位置検出を行い、絶対角度誤差の算出を行う。
【発明が解決しようとする課題】
【０００４】
産業用装置の回転機構部に、絶対角度測定用の角度測定器を取りつけることが困難な場合がある。
【０００５】
画像処理システムを使用して割り出し位置を直行座標測定する装置が存在し、割り出し位置を角度指令で調整しなければならない場合がある。
【課題を解決するための手段】
【０００６】
画像処理システムで直行座標計測した値を用いて絶対角度誤差を算出することで、割り出し位置を角度として算出及び角度調整が行える。
【発明の効果】
【０００７】
回転機構を装置搭載した状態で絶対角度誤差が測定可能となり、高速位置決め動作や装置稼働状態でも測定ができる。
【０００８】
本発明ではn 等分割での絶対角度測定及び調整が可能である。
【図面の簡単な説明】
【０００９】
【図１】図１は直行座標位置測定配置図（0°位置）図を示す。
【図２】図２は直行座標位置測定配置図（90°位置）図を示す。
【発明を実施するための形態】
【００１０】
回転機構のワーク直行座標測定用カメラとマークの配置を図1に示す。
【００１１】
∠a、∠b、∠c、∠d はそれぞれ絶対角度誤差を含む状態にある。
絶対角度誤差を含む駆動角90°に４ポイントのマーク配置を行い、カメラ１（基準）
を見て、カメラの基準位置にマークを移動させる。同作業を90度送り毎に４ポイント行う。
【００１２】
90 度の指令動作を行い、カメラ２を見て90度の指令動作前後の直行座標差分を計測する。
直行座標差分から∠θaを算出すると、次の関係式が得られる。（図２参照）
∠a−∠b＝∠θa ・・・・・・・・・（１）
さらに、90 度指令動作を順次行うと、絶対角度誤差を含むそれぞれの∠a，∠b，∠c，∠d
との関係より得られる∠θb，∠θc は，
∠b−∠c＝∠θb・・・・・・・・・（２）
∠c−∠d＝∠θc・・・・・・・・・（３）
∠a＋∠b＋∠c＋∠d＝360・・・・・（４）
よって、（１）〜（４）式から成る連立１次方程式が得られ、未知数である絶対角度誤差を含む∠a，∠b，∠c，∠d を算出し、割出角度90 度の絶対角度誤差を求めることができる。
【図１】
2015145843.tif 000003
【図２】
2015145843.tif 000004
(57)【要約】【課題】従来の自転車輸送ケースは樹脂製の高価なケースや布製のバッグやダンボール製で強度の弱い箱が多く使用されているが、布製やダンボール製のケースは輸送中に自転車を破損しやすく、また繰り返し使用することが難しい等の問題がある。【解決手段】これらの問題点を解決するための手段として、本案の輸送ケースは、強度の強いダンボールや、プラスチックダンボールと紙管を組み合わせて箱を形成し、かつ輸送途中にケースの中で自転車が動かないように、ケースの側面に自転車のフレームや車輪をゴムバンドで吊るすように固定した。また、ケースの外側をさらに丈夫なバッグやプラスチックダンボール等でカバーすることによって、何回も繰り返し使用できる強固な自転車輸送ケースを完成した。【選択図】図１
2015145283.tif 000002
【特許請求の範囲】
【請求項１】
自転車のフレームや車輪を紐やゴムバンドで結んで張りつける２枚の慨四角形をしたダンボールシート、またはプラスチックダンボールシートや発泡樹脂シートと、この２枚のシートを互いに結合して箱状に組み立てる複数本の紙管と固定用ゴムバンドからなる事を特徴とする自転車輸送ケース。
【請求項２】
第１項記載の概四角形シートの四辺は額縁状に２〜３層に厚く貼り合わされてあり、かつ各辺の所要箇所には自転車のフレームや車輪をゴムバンドで結んでその一端をシートに引っかけて吊るすための切溝が設けられている事を特徴とする自転車輸送ケース。
【請求項３】
第１項記載の概四角形のシートの四隅には紙管を固定するための台座が固着してあり、かつ台座の中央には紙管を挿入して固定する穴が開けられていて、この穴に紙管を挿入して２枚のシートを紙管で結合し箱状に組み立てる事を特徴とする自転車輸送ケース。
【発明の詳細な説明】
【技術分野】
【０００１】本考案は自転車等機械類の梱包ケースの分野に属する。
【背景技術】
【０００２】従来自転車の輸送は、販売に使われたダンボールケースや布製のバッグ等が便宜的に使われ、専用の輸送用ケースは一部高額なＦＲＰ製バッグを除いては存在していない状況である。
【発明の開示】
【発明が解決しようとする課題】
【０００３】これら簡易バッグやケースは梱包が難しく、また強度も不足していることから、輸送中にケースの中で自転車が動いてしまい、破損や傷つけてしまうことが多く問題があった。
【課題を解決するための手段】
【０００４】本発明はこれらトラブルの原因である輸送中にケースの中で自転車が動いてしまう現象を防止するために、フレームや車輪をゴムバンドでケースの側面にしっかりと固定することで解決し、かつケース自体も強化ダンボールやプラスチックダンボール等、強度の強い材質で作り、何回も使用できるように工夫した。
【発明の効果】
【０００５】本自転車輸送ケースは、自転車を傷つけることなく、安定的に目的地まで運ぶことができるため、今後自転車愛好家はマイカーに自転車を積んで移動する必要がなくなり、運送業者に自転車の輸送を託し、自身は鉄道や飛行機等の公共交通機関で目的地まで移動することが可能になり、参加可能なレクリエーションやイベント地域の拡大が見込め、観光産業にも寄与することができる。
【発明を実施するための最良の形態】
【０００６】本輸送ケースは強度の強い２枚の段ボールシートや、プラスチックダンボールシート等で固定版を作り、そして自転車のフレームや車輪をゴムバンドで数か所固定し、固定版に吊り下げる状態で引っかけ固定する。２枚の固定シートは四隅を紙管によって強固に結合され、箱状に形成して、外箱やキャリーバッグに納めて使用される。
【実施例１】
【０００７】固定版（１）は通常強化ダンボールまたはプラスチックダンボールや発泡樹脂シート等の強度の強いシートで概四角形に作り、シートの周辺部は額縁状にシートをさらに重ねて厚く強化する。
【実施例２】
【０００８】額縁（２）状のシート外周には自転車のフレームや車輪を紐やゴムバンド（８）で結んでその一端を引っかけて固定板に括りつけるための切溝が（３）が所要箇所に設けてある。
【実施例３】
【０００９】固定版（１）の四隅には２枚のシートを紙管（６）で結合するための台座（４）が固着してあり、台座には紙管（６）を挿入して固定する穴（５）が付けられている。
【実施例４】
【００１０】結合用の紙管（６）は通常直径が５０ｍｍ〜６０ｍｍくらいで、長さは２５０ｍｍ〜４００ｍｍくらいの円筒紙管を使用する。
【実施例５】
【００１１】２枚の固定版（１）と四隅の紙管（６）を結合して箱状に組み立てたあと、その結合が緩まないように四隅をさらに強力なゴム輪（８）等で固定、保持する。
【実施例６】
【００１２】自転車の付属品や車軸ハンドル等突起している部分の保護は、固定板（１）の主要個所にウレタンゴムの緩衝材（７）を両面テープ等で貼り、自転車を傷つけないようにする。
【実施例７】
【００１３】箱状に組み立てられたケースは持ち運びやすいよう、つりさげベルトのついたプラスチックダンボールの外箱（９）や布製のバッグに収納して輸送する。
【図面の簡単な説明】
【００１４】
【図１】輸送ケースの全体図
【図２】固定版の平面図
【図３】固定版および紙管の側面図
【図４】保護ケース
【符号の説明】
【００１５】１      固定版
２      額縁
３      切り溝
４      台座
５      紙管穴
６      紙管
７      緩衝パッド
８      ゴムバンド
９      保護ケース
【図１】
2015145283.tif 000003
【図２】
2015145283.tif 000004
【図３】
2015145283.tif 000005
【図４】
2015145283.tif 000006
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
自転車のフレームや車輪をゴムバンドで括り付けて吊り下げる２枚の概四角形のダンボールシートが複数本の紙管を介して対向接続され、箱状に形成された自転車輸送用ケースであって、
前記概四角形のダンボールシートの四辺は額縁状に２〜３層に厚く貼り合わせてあり、かつ各辺の所要箇所には、自転車のフレームや車輪を前記ゴムバンドで結んでその一端を引っかけて吊り下げるための切溝が前記各辺に対して垂直な方向に当該各辺に沿って複数設けられており、さらに、
前記概四角形のダンボールシートの四隅には、その中央に前記紙管を挿入して固定する穴が設けられた台座が固着してあり、
組み立て状態において、前記２枚の概四角形のダンボールシートの四隅のそれぞれには、一方のダンボールシートの隅部を介して直交する方向に隣接する２か所の切溝と、当該２か所の切溝に対応して紙管方向に対向する他方のダンボールシートの２か所の切溝との間に渡って、前記ゴムバンドが掛け渡されていることを特徴とする自転車輸送用ケース。
【請求項２】
前記紙管は、その直径が５０ｍｍ〜６０ｍｍであり、その長さが２５０ｍｍ〜４００ｍｍの円筒状紙管であることを特徴とする請求項１に記載の自転車輸送用ケース。
【請求項３】
自転車の付属品や車軸やハンドル等突起している部分に対応する前記ダンボールシートには、ウレタンゴムの緩衝材が貼りつけられていることを特徴とする請求項１又は２に記載の自転車輸送用ケース。
(57)【要約】【課題】従来のニット帽を着用したときに、本人が、頭を動かし、あるいは激しい運動をすると、帽子が脱げやすくなり、何度も帽子の位置を直さなければならなかった。【解決手段】本発明によるニット帽は、内側に幅広のベルトを、額部から後頭部へと斜めに取り付けることにより、簡単にニット帽が、ずれないことを特徴とするものである。【選択図】図１
2015145553.tif 000002
【特許請求の範囲】
【請求項１】
ニット帽の内側に幅広いベルトを、額部から後頭部へと斜め上方向に取り付けて、簡単に帽子が、ずれないことを特徴とするニット帽である。
【発明の詳細な説明】
【技術分野】
【０００１】    本発明は、帽子の一種であるニット帽に関するものである。
【背景技術】
【０００２】    従来、ニット帽を着用すると、激しい運動をしたとき、あるいはニットの伸縮機能が弱くなったときには、帽子が脱げやすい傾向にある。この問題を解決するために、下記のような文献が知られている。例えば［特許文献１］はニットの縫合中心部を帽子の頭頂部ではなく、額側に位置を移しニット帽がずれるのを防止するものである。
【先行技術文献】
【特許文献】
【０００３】
【特許文献１】  特開２０１３−２１３２９７号公報
【発明の概要】
【発明が解決しようとする課題】
【０００４】  ニット帽を着用すると、本人が、頭を動かし激しい運動を行うと、帽子の後部が、徐々に上にずれて、たびたび帽子を整えなければならない。
本発明は以上の問題点を解決するものである。
【課題を解決するための手段】
【０００５】  本発明によるニット帽は、帽子の内側に幅広のベルトを、取り付ける。取り付け位置は、ニット帽の額部から耳の上を通って後頭部へと、斜め上方向に取り付ける。またベルトは頭の大きさのサイズに合わせて調整出来るものとする。そのことにより激しく運動をしても、ベルトの位置は変わらないので、ニット帽の後部は上にずれないのである。またニットの伸縮力が弱まったニット帽も、ベルトの長さは伸びないので、しっかりといつまでも着用することが出来る。［特許文献１］の公報に公開されている、ニット帽の縫合中心部を頭頂部より額部よりに移しても、ニットの伸縮作用が弱まってくると、ニット帽がずれやすく又激しい運動のときには、ニット帽が、ずれやすくなる欠点が考えられる。
【発明の効果】
【０００６】本発明によるニット帽は、激しい運動をした時も、帽子がずれにくく、何度も帽子を整えることなく、最初のスタイルをそのまま維持できるのである。またニットの伸縮力が弱くなっても、ベルトの効果で、ニット帽は長く使用できる。
【図面の簡単な説明】
【０００７】
【図１】  本発明の立面図
【図２】  本発明を使用した立面図
【図３】  本発明のベルトの効果図
【発明を実施するための形態】
【０００８】  以下発明の実施の形態を説明する。
ニット帽（１）の内側に幅広のベルト（２）を、取り付ける。その際に取り付け位置は、ベルトが帽子の前部の下方部（３）より、耳の上を通過して、帽子の後部の高い位置（４）に斜め上方向に、取り付ける。［図３］のベルトを取り付けてないニット帽（イ）は、激しい運動を行ったりしたとき、ニットの収縮作用により自然に上方へと、ずれてくる。しかしベルトを取り付けたニット帽（ロ）は、ベルトで頭部に固定するために、ずれることはないのである。またベルトは頭のサイズに合わせられるように、長さを調整できるものとする。
本発明は以上のような構造である。
着用のときはニット帽のベルトを、本人の頭のサイズに調整してから、ベルトが両耳の上にくるように着用する。
【符号の説明】
【０００９】（１）ニット帽、（２）ベルト、（３）ベルト前部の取り付け位置、（４）ベルト後部の取り付け位置、（イ）ベルトを取り付けてないニット帽、（ロ）ベルトを取り付けたニット帽
【図１】
2015145553.tif 000003
【図２】
2015145553.tif 000004
【図３】
2015145553.tif 000005
(57)【要約】【課題】ボルトに簡単に螺合され。ボルトに締結すればその締結を容易に外すことが  できない。ナットの開発。【解決手段】ナットの後径側に先端が順次小径寸法となる傾斜部を有した、コイルバネ収容部を形成する。先端部をテーパー加工し、内径がボルトに、きつめに螺合するコイルバネを内蔵する。コイルバネはナット本体の内径テーパー部へ押し圧状態で後径側で遊びをもって取り付ける。ボルトへのナットの締め付け回転ではナットの雌ネジに続いてバネ部もネジ込まれ締結する、ナットの戻り回転ではコイルバネ部がボルトに摩擦力と収縮力でボルトの溝部に固持されナットの傾斜部（テーパー）にクサビとなり食い込みナットの緩み止めとなる。ボルトとナットの結合はリベット結合と同等の働きをする、解放するにはナット分割にたよる。【選択図】図１
2015145722.tif 000002
【特許請求の範囲】
【請求項１】
ナット本体の後径側に先端が順次小径寸法となる傾斜孔を有し、ボルトと同じピッチで、きつめに螺合する内径を有したコイルバネの端部を遊びを有して取り付ける。ナットの締め付け方向の回転ではナット本体の先端部に形成した雌ネジに引き続きコイルバネの内径がボルトにネジ込まれ、ボルトとナットが螺合しナット締めが完了する。ナットの緩み止め機構は、ナットの離脱方向の回転でボルトのオネジ溝にコイルバネが密着し摩擦力と収縮力でオネジ溝に留まりナット本体が戻り方向に回転するとナット本体の内径傾斜孔へクサビとなり食い込みナットの戻り回転を阻止する。傾斜孔を形成した緩み止めナット。
【請求項２】
内蔵のコイルバネの締め付け力を強くする為ボルト挿入部から順次小径寸法となる、円錐型コイルバネや鼓型コイルバネを取り付けた事を特徴とする請求項１記載の傾斜孔を形成した緩み止めナット。
【発明の詳細な説明】
【技術分野】
【０００１】  本発明はボルト、ナットによって被締結部材を固定する際に、ボルトに装着されたナットの緩みを防止する構造に関するものである。
【背景技術】
【０００２】  従来被締結部材を固定するにはボルト、ナットによる締結方式があらゆる分野で多用されている、ボルトに締め付けられたナットは単純に取り付けられただけでは，振動や外力等によって緩んでしまいやすい為スプリングワッシャを挟み込む事が通常行われている、また被締結を確実に固定するにはダブルナットを使用した締め付け方式が広く行われている。
【発明の開示】
【発明が解決しようとする課題】
【０００３】  従来におけるボルト、ナットによる締め付け方式では。例えばダブルナットを使用した場合、締め付け直後では被締結部材の固定が確実であっても長期間にわたっての振動や衝撃により一旦緩んでしまうと、２個のナットはそれぞれ回転するようになって緩んでしまうとゆう問題を有していた。【０００４】  そこで本発明は上記の様な従来存した諸事情に鑑み創出されたものである。ボルトにナットを簡単に螺合できボルトにナットを締結すればその結果を容易に外す事が出来ない様にするとともに、長期間にわたって振動や外力等が働くことによるボルト、ナットの緩みを止める構造を提供することを目的とする。【０００５】  本発明の前記ならびにほかの目的と新規な特徴は次の説明と添付図面と照らし合わせて読むとより完全に明らかになるであろう。ただし、図面はもっぱら解説のためであって、本発明の技術範囲を限定するものではない。図面上同一部品には同じ符号を符して説明は省略する。
【課題を解決するための手段】
【０００６】ナット本体２へコイルバネ４の収容部６を形成する。先端部をテーパー加工５を実施し内径がボルトにきつめに螺合するコイルバネを内蔵する。コイルバネ４はナット本体の内径傾斜部７へ押し圧状態でナット本体の後径側に設けた溝部３へコイルバネ４の最終の拡径されたバネ部１６を押し込みセットする。３の溝部の一か所を溝巾を狭めてコイルバネのエンドのストッパーとする。ただ単純に止めるでもよし、又は遊びを有して取りつけるどちらでもよしとする。
締め付け回転では、ナットの雌ネジ８に続いてコイルバネ４も続いてねじ込まれ締結する。ナットの戻り回転でコイルバネ部４がボルトに摩擦力と収縮力でボルトのねじ部に固持され、ナット本体の内径傾斜部７に図６図７に示す様に食い込みナット本体の戻り回転を阻止する。ボルトとナットの組み合わせでリベット結合と同等の作用をする。解放するにはナットを分解する。【０００７】請求項２記載の発明はナット本体の内径６にセットされているコイルバネ４がボルト１にナット２の締め付け回転ではナット本体の雌ネジ８に続きコイルバネの内径にねじ込まれナットの戻り回転でボルト１に強く固定される為にコイルバネの強い収縮力の必要がありボルト挿入口１１より順次小径寸法となる、円錐型コイルバネ１０や、鼓（つづみ）型９のコイルバネの内径を利用し強い締め付け力を得るものである。【０００８】図６はナット本体の内径傾斜部７に丁度コイルバネの先端が食い込んだ状態の断面図でコイルバネの先端は切断状態である。図７の先端部はテーパー加工して接地面積を多くして抵抗力を増している。どちらでもよいものとする。
【発明の効果】
【０００９】  以上の説明から、あきらかな様に本発明にあっては次の効果が得られる。【００１０】  一旦ボルトにナットを締結すれば簡単に戻す事が出来ない構造でリベットと同等の作用をする。
【産業上の利用可能性】
【００１１】  本発明は、ナットを製造する産業で利用される。【００１２】  本発明は安価に大量生産ができる。
【図面の簡単な説明】
【図１】第１の実施の形態を示す締結時の緩み止めナットの断面図である。
【図２】先端部テーパー加工したコイルバネ。反対側の端部の約１周拡径の斜視図。
【図３】ナット本体断面図。
【図４】円錐コイルバネの斜視図。
【図５】鼓型コイルバネの斜視図。
【図６】ナット本体の傾斜部にコイルバネが食い込み状態の拡大断面図。
【図７】ナット本体の傾斜部にコイルバネのテーパー加工部が食い込み状態の拡大断面図。
【符号の簡単な説明】
【００１３】  １  ボルト    ２  ナット本体    ３  拡径ばね収容溝    ４  コイルバネ
５  テーパー加工部    ６  コイルバネ収容部    ７  傾斜部    ８  雌螺子
９  鼓型コイルバネ    １０  円錐型コイルバネ    １１  ボルト挿入方向
１２  拡径されたエンド部    １３  被締結部    １４  被締結部
１５  スプリングワッシャ    １６  拡径部
【図１】
2015145722.tif 000003
【図２】
2015145722.tif 000004
【図３】
2015145722.tif 000005
【図４】
2015145722.tif 000006
【図５】
2015145722.tif 000007
【図６】
2015145722.tif 000008
【図７】
2015145722.tif 000009
(57)【要約】      （修正有）【課題】大型でも安価に製造出来、正確な測定位置の正面からの視認が可能で、プリズム透過屈折による距離変動や、焦点の虚像がなく、プリズム分光しない距離測定光回帰キューブの提供。【解決手段】入力光線２が直角三面プリズムと同一の経路で光線回帰し出力光線３となるような表面反射する直角円錐構造を有した表面反射円錐キューブ１であり、焦点に小孔４を配置することで正確な測定位置の正面からの焦点視認が可能なことを特徴とする。【選択図】図１
2015145978.tif 000002
【特許請求の範囲】
【請求項１】
正確な距離測定光回帰キューブで、プリズム透過屈折による距離変動、焦点の虚像もなく、プリズム分光しない、内表面反射鏡円錐キューブ。
【請求項２】
焦点に小孔を配置することにより、焦点の虚像がなく正面から焦点視認が出来る内表面反射鏡円錐キューブ。
【発明の詳細な説明】
【技術分野】
【０００１】
本発明は、光線回帰が正確、製品作成が容易な内表面反射鏡式キューブに関するものである。
【背景技術】
【０００２】
光線回帰キューブは、三面コーナー（直角）プリズムであった。
【０００３】
しかし、直角精度を正確に出す高度なプリズム加工が必要で小型のものしか出来ず、プリズム透過屈折による距離変動、三面辺角の虚像及びプリズム分光が発生する。
【０００４】
一般コーナープリズムの用途において、この欠点は小型で製品値段が高くなり、測距望遠鏡から測定位置の確認、斜距離位置の確認、距離補正、波長による分光、などの問題があった。
【０００５】
この改善策は、プリズム屈折率に応じた距離補正常数の入力、焦点を外付の別表示器等の方法もあるが、調整も煩雑になる。
【先行技術文献】
【特許文献】
【０００６】
【特許文献１】特開２００７−５００８８５号公報
【非特許文献】
【０００７】
【非特許文献１】Wikipedia「光  コーナーキューブ」
【発明の概要】
【発明が解決しようとする課題】
【０００８】
解決しようとする問題点は、大型製品も直角精度を正確に出し、プリズム透過屈折率による距離変動、プリズム分光、三面辺角の虚像、を無くす課題である。
【課題を解決するための手段】
【０００９】
本発明は、内表面鏡とし、直角三面プリズムでなく、中心に小孔を配置する焦点が９０度の内表面鏡円錐とすることを最も主要な特徴とする。
【発明の効果】
【００１０】
本発明の内表面鏡反射円錐キューブは大型も高精度で安価に製造出来、虚像が発生せず正確な測定位置の正面からの視認、距離補正が必要なくプリズム透過屈折率による距離変動、プリズム分光をしないという利点がある。
【図面の簡単な説明】
【００１１】
【図１】図１は内表面反射鏡円錐キューブの実施方法を示した説  明図である。（実施例１）
【図２】図２は表面反射鏡円錐キューブの正面図である。
【図３】図３は表面反射鏡円錐キューブの横面図である。
【図４】図４は表面反射鏡円錐キューブの外観図である。
【発明を実施するための形態】
【００１２】
キューブ正面から見ると無駄のない円形、中心に目標小孔点、横から三角形の内腔が直角円錐である内面鏡の部品点数で、光学系構成を損なわずに実現した。
【実施例１】
【００１３】
図１は、本発明装置内面鏡の、１表面反射９０度円錐キューブ、実
施例の斜視図である。
【００１４】
２は入力光線、３は出力光線、経路である。
【００１５】
４は正面から視認できる中心小孔、である。
【００１６】
中心小孔から誘導出来る、５は鉛直中心線、６は水平中心線である。
【００１７】
入力光線、出力光線の詳細経路は直角三面反射プリズムと同一様の経路で光線回帰する。本発明の主体は光学系の反射直角円錐構造にあるので、付帯機構系の説明は省略する。
【産業上の利用可能性】
【００１８】
地球と月間の距離測定で、アポロ宇宙船以後毎日の距離測定に現在、大寸法のプリズムが作成出来ず、１０×１０＝１００個の小型キューブ一団のセットを使用中であり、その代替え用大型キューブ。
一般測量の光回帰反射キューブ。
自動自動車運転目標キューブ。等に適用できる。
【符号の説明】
【００１９】
１    表面反射、焦点９０度内面鏡円錐キューブ。
２    入力光線。
３    出力光線。
４    中心小孔。
５    中心小孔から誘導出来る、鉛直中心線。
６    中心小孔から誘導出来る、水平中心線。
【図１】
2015145978.tif 000003
【図２】
2015145978.tif 000004
【図３】
2015145978.tif 000005
【図４】
2015145978.tif 000006
(57)【要約】【課題】  家中の空気をインナー通気層で循環させ、床下の空間を利用して太陽熱蓄熱を行う工法や調湿する工法などあるが、循環空気を室内に放出する部材の形状などは意匠上、機能上、施工上などの課題あった。本発明はこのような課題を克服するために為されたものである。【解決手段】  本発明は、樹脂やアルミなど一定の強度を有したアングル部材に中央突起▲１▼と片側突起▲２▼、上部フラット部に通気孔▲３▼とビス孔▲４▼をあけた見切り▲５▼形状とした見切り通気チャンバーであり、窓下やフロアー端部に目立たない存在で通気させることを手段とした。【選択図】図１
2015145609.tif 000002
【特許請求の範囲】
【請求項１】
アングル部材に中央突起▲１▼と片側突起▲２▼があり、上部フラット部に通気孔▲３▼とビス孔▲４▼をあけた見切り▲５▼形状としたことを特徴とした見切り通気チャンバー。
【発明の詳細な説明】
【技術分野】
【０００１】  本発明は、インナー通気層を有した住宅工法で、調湿や空気清浄を行った空気を床下から室内に循環させる際に、サッシなどの開口下部や部屋隅の床から室内に通気させるための見切り部材である。
【背景技術】
【０００２】  従前は、このような部材が存在していなかった。【０００３】  上記の問題を解決するため、穴の開いたショーケース内部の棚柱などを汎用していたが、手間が掛かるだけでなく施工面に限界があった。
【発明の概要】
【発明が解決しようとする課題】
【０００４】  家中の空気をインナー通気層で循環させ、床下の空間を利用して太陽熱蓄熱を行う工法や調湿する工法などあるが、循環空気を室内に放出する部材の形状などは意匠上、機能上、施工上などの課題あった。
本発明はこのような課題を克服するために為されたものである。
【課題を解決するための手段】
【０００５】  本発明は、樹脂やアルミなど一定の強度を有したアングル部材に中央突起▲１▼と片側突起▲２▼、上部フラット部に通気孔▲３▼とビス孔▲４▼をあけた見切り▲５▼形状とした見切り通気チャンバーであり、窓下やフロアー端部に目立たない存在で通気させることを特徴としている。
【発明の効果】
【０００６】  本発明の見切り通気チャンバーは、装着が目立たず、通気効果だけを発揮する。【０００７】  本発明の見切り通気チャンバーは、部材が安価で取り付けも簡単である。【０００８】  本発明の見切り通気チャンバーは、その装着で窓の結露を緩和できる。【０００９】  本発明の見切り通気チャンバーは、その装着で不快な開口部からのダウンドラフトを緩和できる。【００１０】  本発明の見切り通気チャンバーは、室内のフロアー端部に取り付けることで室内隅々にまで空気が行き届くことが可能となる。
【図面の簡単な説明】
【００１１】
【図１】本発明の構造断面図
【図２】実施例３の構造断面図
【図３】実施例４の構造断面図
【図４】実施例６の構造断面図
【図５】実施例７の構造断面図
【発明を実施するための形態】
【００１２】  本発明は、インナー通気層を有した住宅工法に用いられ、床下からの空気を孔の空けた窓台▲６▼、適正間隔で置いた通気ライナー▲７▼から本発明の見切り通気チャンバーを通じて窓、掃出し開口部の間近、および室内隅から放出される。
【実施例１】
【００１３】  見切り通気チャンバー部材を樹脂で成型した本発明の実施例。
【実施例２】
【００１４】  見切り通気チャンバー部材をアルミで成型した本発明の実施例。
【実施例３】
【００１５】  見切り通気チャンバー部材を窓に取り付けた本発明の実施例。【００１６】  見切り通気チャンバー部材を掃出し開口部に使用する本発明の実施例。
【実施例５】
【００１７】  見切り通気チャンバー部材を開口部の結露防止と使用した本発明の実施例。
【実施例６】
【００１８】  見切り通気チャンバー部材を室内床廻りの換気吹き出し口グリルとして使用する本発明の実施例。
【実施例７】
【００１９】  見切り通気チャンバー部材を室内天井廻りの換気吐き出し口グリルとして使用する本発明の実施例。
【実施例８】
【００２０】  見切り通気チャンバー部材の露出部分に着色装飾を施して使用する本発明の実施例。
【実施例９】
【００２１】  見切り通気チャンバー部材をサッシ一体型として用いる本発明の実施例。
【産業上の利用可能性】
【００２２】  本発明は、簡易的な方法で開口部の結露緩和に貢献し衛生面での活用が可能となる。【００２３】  本発明は、簡易的な方法で室内への空気供給が可能となる。【００２４】  本発明は、安価に製造できる事から、空気循環工法の家に広く使用できる可能性がある。
【符号の説明】
【００２５】▲１▼  中央突起
▲２▼  片側突起
▲３▼  通気孔
▲４▼  ビス孔
▲５▼  見切り
▲６▼  窓台
▲７▼  通気ライナー
▲８▼  見切り通気チャンバー
【図１】
2015145609.tif 000003
【図２】
2015145609.tif 000004
【図３】
2015145609.tif 000005
【図４】
2015145609.tif 000006
【図５】
2015145609.tif 000007
(57)【要約】      （修正有）【課題】温度湿度調節機能と高い経年劣化耐久性をもった建築材料を提供する。【解決手段】煉瓦とジオポリマー素材を組み合わせた建築材料であることを特徴とする。【選択図】なし【特許請求の範囲】
【請求項１】
煉瓦とジオポリマー系コンクリートを組み合わせた建築材料
【発明の詳細な説明】
【技術分野】
【０００１】  この発明は、煉瓦とジオポリマー系コンクリートを組み合わせた建築材料である。
【背景技術】
【０００２】  一般にコンクリート建築材料は防音性や耐火性、耐久性に優れます。しかし、温度湿度の調節機能の面では劣ります。これはジオポリマー系コンクリートでも同じです。そしてジオポリマー系コンクリートは、経年劣化に対する耐久性において特に優れます。
煉瓦には高い耐久性と断熱性のほかに温度湿度の調節機能があるという長所があります。しかし構造材として用いる場合は地震に弱いという欠点がありました。また、表面貼りつけ等で用いる場合、露出しているため風化による経年劣化が比較的早いという欠点があります。
【先行技術文献】
【特許文献】
【発明の概要】
【発明が解決しようとする課題】
【０００３】  煉瓦には高い耐久性があるが、露出している場合は風化による経年劣化が比較的早い。また煉瓦は構造材として用いる場合は地震に弱いという欠点がある。これをジオポリマー系コンクリートと組み合わせることで煉瓦の不足点である低耐震性と風化による経年劣化性などの点を大幅に改善し、それと同時に、ジオポリマー系コンクリートの不足点である温度湿度調節機能の低さを煉瓦のもつ温度湿度調節機能の性質で補う。本発明は、永く維持できる温度湿度調節機能と高い経年耐久性を実現するためになされた建築材料である。
【課題を解決するための手段】
【０００４】  ジオポリマー系コンクリートとして硬化させる際に、煉瓦をその内部に含ませてから硬化させる。またはすでに硬化させた空洞型のジオポリマー系コンクリート建築材料の中に煉瓦を入れ、煉瓦の外部露出具合を低減する。他には、煉瓦材料の上からジオポリマー系セメントで煉瓦を包んだのち硬化させるなどの方法が考えられる。
本発明は、煉瓦とジオポリマー系コンクリートを組み合わせた建築材料である。
【発明の効果】
【０００５】  煉瓦はジオポリマー系コンクリートに守られる構造となるため、ジオポリマー系コンクリートのもつ風化に対する耐久性によって煉瓦は風化作用から守られ、煉瓦自体の経年劣化を低減できる。それにより、煉瓦のもつ温度湿度調節機能などの様々な機能を永く発揮できる。また、ジオポリマー系コンクリートのもつ弾力性と耐久性により、耐震性も期待できる建築材料となる。つまり温度湿度調節機能と風化に対する高い耐久性を主な特長とした、耐震性、耐火性、断熱性、防音性などの性能も期待できる高機能な建築材料となる。
【発明を実施するための形態】
【０００６】以下、本発明を実施するための形態についての幾つかの例を説明する。
煉瓦を含ませて硬化させて作る、ジオポリマー系コンクリート建築材料。形状や厚みについては、硬化に使用する型枠の形状や厚みによりあらゆるパターンを生み出せる。例えば、外壁材、床板材、屋根材、天井材、耐火材、駐車場の路面として。ジオポリマー系コンクリートは凍結によるヒビを起こしにくい性質をもつため、その点でも優れた建築材料となる。煉瓦においてジオポリマーセメントで包んで接着していく方法により、風化による煉瓦自体の経年劣化と接着状態の劣化を、用いるジオポリマーの耐久性により低減できる。
(57)【要約】【課題】従来の貝掘り用熊手等は、尖った部分が露出しており危険であった。また貝を掘り出す際には、土砂の抵抗が大きく、掘り起こした土砂の中から貝を探し出す手間が生じて見落としも発生するなど、採取効率も悪かった。【解決手段】貝掘り器具１は、フラットバー状の刃を両端で支持する形状の掘削部４が、持ち手部に取り付けられた構成とする。尖った部分がないため、怪我や物品破損の原因となりにくい。作業者はこれを用いて、土砂の表面を鋤き取るように掘ることにより、貝６が埋まったままの状態で位置を感触により感知７し、視認し取り上げることができる。これにより貝の見落としが減り、必要以上の土砂を掘り返す必要もなくなり、また掘り起こした土砂の中から貝を探し出す手間が軽減される。また掘削部の幅を広くすることによって、従来の熊手と比べて一度に広い範囲を掘ることができ、採取効率が高まる。【選択図】図４
2015051025.tif 000002
【特許請求の範囲】
【請求項１】
持ち手部と掘削部とで構成され、前記掘削部は、フラットバー状の刃、もしくはフラットバーの一方の辺を薄く加工した形状の刃を、両端で支持する形態に作られることを特徴とする貝掘り器具。
【請求項２】
金属製のフラットバーを用い、主要部分を直線状とし、その直線の両端を曲げ加工することによりループ状に構成された掘削部を持つ、請求項１記載の貝掘り器具。
【発明の詳細な説明】
【技術分野】
【０００１】
本発明は、従来の熊手等に替わる、安全で効率的な貝掘り用の器具に関するものである。
【背景技術】
【０００２】
貝掘りの際には、貝掘り用の熊手や鋤簾、鋤などを使用する。それらにより、干潟等の土砂を掘り起こし、かき出す事で貝を採取する。
【発明の概要】
【発明が解決しようとする課題】
【０００３】
従来の貝掘り用熊手や鋤簾は、爪棒の先端が尖っており、鋤は鋭い刃先が露出していて、使用中に怪我をしたり、保管や運搬時に周囲の物品を破損する原因となることがあり、特に幼児や児童に使わせることは危険であり注意を要する。
【０００４】
従来の貝掘り用熊手等では、貝を掘り出す際には、土砂と貝とを一緒に掘り起こしてしまうため、抵抗が大きく使用者が疲労しやすい。また、掘り起こした土砂の中から貝を探し出す手間が生じ、見落としも発生するなど、採取効率も悪かった。
【課題を解決するための手段】
【０００５】
上記課題を解決するために、本発明による貝掘り器具は、持ち手部と掘削部とで構成されたものとし、掘削部はフラットバー状の刃、もしくはフラットバーの一方の辺を薄く加工した形状の刃を、両端で支持する形態に作られたものとする。
【０００６】
作業者はこれを用いて、土砂の表面を薄く鋤き取るように掘ることにより、貝を掘り起こすことなく埋まったままの状態で貝の位置を感触により感知し、ついで視認し採取する。
【発明の効果】
【０００７】
この形状の貝掘り器具は、尖った部分がないため、使用中の怪我や、保管、運搬時に周囲の物品を破損する原因となることがほとんどなくなることが期待できる。児童に使わせても、従来の熊手等に比べて格段に安全である。
【０００８】
作業中には、貝の見落としが減り、必要以上の土砂を掘り返す必要もなくなり、また掘り起こした土砂の中から貝を探し出す手間が大幅に軽減される。さらに掘削時の土砂の抵抗が少ないため、疲れにくく、また掘削部の幅を広くすることができ、従来の熊手と比べて一度に広い範囲を掘ることができ、採取効率が高まる。
【図面の簡単な説明】
【０００９】
【図１】貝掘り器具の実施例１の外観斜視図
【図２】貝掘り器具の実施例２の外観斜視図
【図３】貝掘り器具の実施例３の外観斜視図
【図４】使用方法を示す図
【発明を実施するための形態】
【００１０】
掘削部４は金属製のフラットバー４ａを用い、主要部分を直線状４ｃとし、曲げ加工４ｂによりループ状に形成される。
【００１１】
図１に示す実施例１は、円筒状もしくは適度に手になじむ形状の持ち手部２の先端に、支持部３を介して、掘削部４が、その直線部分が持ち手部２に対し直交方向になるよう取り付けられて構成される。支持部３は持ち手部２と一体の形態とする。
【００１２】
図２に示す実施例２は、円筒状もしくは適度に手になじむ形状の持ち手部２の先端に、支持部３を介して、掘削部４が、その直線部分が持ち手部２に対し直交方向になるよう取り付けられて構成される。支持部３は掘削部４と一体の形態とする。
【００１３】
図３に示す実施例３は、持ち手部２が支持部３を兼ねた一体の形態で、掘削部４の直線部分が、持ち手部に対しおおよそ平行に取り付けられて構成される。
【００１４】
作業者はこの貝掘り器具を用い、図４に示すように、干潟の土砂を表面から２、３センチの深さで薄く鋤き取るように、１、２回掘る。貝（アサリ、ハマグリ等）６は大抵の場合、土砂の表面から５センチ以内の深さに埋まっているため、この鋤き取る過程で、掘削部４と貝６の上部が擦れる感触により、貝６がどこに埋まっているかを把握し、視認することができる。そのあと、視認した貝６のみを土砂から取り出し採取する。
【符号の説明】
【００１５】
１    貝掘り器具
２    持ち手部
３    支持部
４    掘削部
４ａ  金属製フラットバー
４ｂ  曲げ加工
４ｃ  直線部分
５    干潟の土砂
６    貝（アサリ、ハマグリ等）
７    感触により貝の位置が判明する。
【図１】
2015051025.tif 000003
【図２】
2015051025.tif 000004
【図３】
2015051025.tif 000005
【図４】
2015051025.tif 000006
(57)【要約】【課題】使用者の個別の障害に合わせた姿勢サポート装置を、特殊な器具での微調整や個人体格の詳細な測定を事前に行わなくても提供可能とし、かつ形状の異なる車いすに搭載しなおしても、引き続き不足なく使用ができ、更に手軽に洗浄可能で衛生的な姿勢補助クッションを提供すること。【解決手段】構造を、背面の基礎部分となる部品Ａと、背面の傾きの調整部品となる部品Ｂと、人体の座面の傾きを正して姿勢保持の出来る部品Ｃで構成し車いす本体と部品Ａ、部品Ａと部品Ｂは、面ファスナで固定をする。更に部品Ｂは複数種類の形状を用意する。部品Ｃはウレタン素材を重ねて理想的な座面形状に成形した構造とし部品Ａ、部品Ｂ，部品Ｃは全て通気性に優れ、水で洗浄が出来る素材を使用して構成する。【選択図】図１
2015051246.tif 000002
【特許請求の範囲】
【請求項１】
車いす背面にかぶせて車いす本体と面ファスナで固定をする部品Ａと、複数種類の形状を組み合わせる事でサポートする体の位置、体格に合わせて使用する部品を選択できる部品Ｂを、面ファスナで接着固定させ専用の工具なしに調整者の手作業で無段階の位置調整が可能とした車いす使用者の座位保持装置。
【請求項２】
請求項１に記載の装置に、臀部を支える部品Ｃを組み合わせることで車いす使用者の体型のゆがみを補正する事が出来る車いす使用者の座位保持装置車。
【請求項３】
構造を、背面の基礎部分となる部品Ａと、背面の傾きの調整部品となる部品Ｂと、人体の座面の傾きを正して姿勢保持の出来る部品Ｃで構成する車いす使用者の座位保持装置。
【請求項４】
部品Ａの中身素材には、ウレタン材を使用し、車いす背面にかぶせて使用する。車いす本体と部品Ａは、面ファスナで固定をする車いす使用者の座位保持装置。
【請求項５】
サポートする体の位置、体格に合わせて使用する部品を選択できるよう複数種類の形状の部品を使用する車いす使用者の座位保持装置。
【請求項６】
部品Ｃはウレタン素材を重ねて理想的な座面形状に成形した構造を取る車いす使用者の座位保持装置。
【請求項７】
部品Ａと部品Ｂは、面ファスナで取り付けを行なう車いす使用者の座位保持装置。
【請求項８】
部品Ａ、部品Ｂ，部品Ｃは全て通気性に優れ、水で洗浄が出来る素材を使用して構成する車いす使用者の座位保持装置。
【発明の詳細な説明】
【技術分野】
【０００１】本発明は、車いす使用者の座位保持装置に関する物である。
【先行技術文献】
【０００２】特許４８９４２１６  シートジャケット構造
【発明の概要】
【０００３】部品Ａと部品Ｂと部品Ｃで構成される、形状の変更可能な座位姿勢補助クッション
【発明が解決しようとする課題】
【０００４】使用者の個別の障害に合わせた姿勢サポート装置を、特殊な器具での微調整や個人体格の詳細な測定を事前に行わなくても提供可能とし、かつ形状の異なる車いすに搭載しなおしても、引き続き不足なく使用ができ、更に手軽に洗浄可能で衛生的な姿勢補助クッションを提供すること。
【課題を解決するための手段】
【０００５】構造を、背面の基礎部分となる部品Ａと、背面の傾きの調整部品となる部品Ｂと、人体の座面の傾きを正して姿勢保持の出来る部品Ｃで構成する。【０００６】部品Ａの中身素材には、ウレタン材を使用し、車いす背面にかぶせて使用する。車いす本体と部品Ａは、面ファスナで固定をする。【０００７】サポートする体の位置、体格に合わせて使用する部品を選択できるよう、部品Ｂは複数種類の形状を用意する。（図３）【０００８】部品Ｃはウレタン素材を重ねて理想的な座面形状に成形した構造を取る。【０００９】部品Ａと部品Ｂは、面ファスナで取り付けを行なう。【００１０】部品Ａ、部品Ｂ，部品Ｃは全て通気性に優れ、水で洗浄が出来る素材を使用して構成する。
【発明の効果】
【００１１】本発明のクッションシートは構造を分割したことで、使用者個人の体格や障害に則した形に容易に合わせる事が出来るようになった。また水洗い可能かつ通気性の良い素材を使用して構成することで、使用者によるこまめな洗浄が可能となり、衛生的である。
【図面の簡単な説明】
【００１２】
【図１】全体図である。
【図２】部品Ａを展開し、平に置いたときの形状を表す図である。
【図３】部品Ｂの形状を示す説明図である。
【図４】部品Ｃの形状を示す説明図である。
【図５】背骨が変形しているには至らないが、側わんがクセになっている状態の使用者に対する実施例である。（１）は元の状態の背骨形状を表す。部品Ｃで骨盤を平行に保ち、（２）の設置位置に部品Ｂを使用し右側に傾いてしまう上半身を支える。
【図６】低緊張（筋肉の張りが無く体を自力でささえられない）状態の使用者に対する実施例である。（３）は元の状態の姿勢状態を表す。部品Ｃで骨盤を平行に保ち、（４）でぐらつきやすい体の高い位置からクッションを設置して両側から支える。
【発明を実施するための形態】
【００１３】車いす背面本体に、部品Ａを装着する。
【００１４】車いす座面に部品Ｃを装着する。
【００１５】体格や、姿勢補助の必要な状態に合わせて、部品Ａに部品Ｂを装着する。
【図１】
2015051246.tif 000003
【図２】
2015051246.tif 000004
【図３】
2015051246.tif 000005
【図４】
2015051246.tif 000006
【図５】
2015051246.tif 000007
【図６】
2015051246.tif 000008
(57)【要約】      （修正有）【課題】立って排尿しても、小便が思わぬ方向へ飛び散ったりせず便器周辺を汚すことのない着脱式・小便器を提供する。【解決手段】着脱式・小便器は、排尿筒と、排尿筒の下部が接続され、排尿筒の高さを調節可能な調節部を有する筒状の本体と、本体の下部に設けられ、本体を洋式便器の縁に固定するための安定器と、本体に回動自在に設けられ、本体の下端の開口を開閉する雫受けとよりなり、雫受けと本体とをマグネットにより一体型にして安定させるようにした。【選択図】図１
2015051248.tif 000002
【特許請求の範囲】
【請求項１】
マグネットを採用することで、雫受けを安定させ一体型にしたこと
【請求項２】
排尿筒の下部を本体の中に入れることで、高さ調節が自由に出来る点
【請求項３】
洋式便器の縁での安定器幅は５０ｍｍで固定しても図２参照の▲１▼と▲２▼が決まればどの便器でも使用できる点
【発明の詳細な説明】
【技術分野】
【０００１】そのまま使い続けると、尿酸が蓄積されて、悪臭を放つようになるので、毎回、消臭剤１０％水９０％の液を簡易スプレー容器に入れて排尿前後に一吹きし尿酸の蓄積を防ぎ、蓋を閉じておくことで、悪臭問題は解決出来ます。
【背景技術】
【０００２】現代の一般庶民の家庭では、男性専用の便器のあるところは少なく住民の多くの男性が、若ければ若いほど、女性には理解しにくい悩みを持っているものと思います。その悩みは、この発明で解決出来るのです。
【先行技術文献】
【特許文献】
【特許文献】  出願（申請）平成２５年３月  ４日  識別番号  ５１０２８９０２１  受付  平成２５年３月６日  受付番号２１３００４２００８３  出願（申請）番号  特願２０１３−６０８９８
【非特許文献】
【・・・・】
【非特許文献１】
【発明の概要】
【発明が解決しようとする課題】
【０００３】男性は、小便は立ってしたい願望があります。しかし、立って排尿すれば思わぬ方向へ飛び散ったりして便器周辺を汚し結局、便座に座ってするように躾けられているようです。これを解決してあげたい。
出願（申請）番号  特願２０１３−６０８９８、を全面的に改良して、収納スタンドを、廃して、雫受けを一体型にして使いやすくし、高さ調節を誰でも出来るようにしたい。
【課題を解決するための手段】
【０００４】雫受けを一体型にして安定させるため、マグネット採用しました。【０００５】本体の高さ調節を自由にしました。（調節範囲１７０ｍｍ）
【発明の効果】
【０００６】雫受けが一体型になったので手間が省けて使用時間が短縮出来て７９才の老体も誰にも気兼ねなしで、安らかな日々を送れます。
【図面の簡単な説明】
【０００７】
【図１】  この図の寸法は、おおよそ二分の一の縮尺で書きました。
【図２】  使用中の状態を、おおよそ二分の一の縮尺で表しました。
【図３】  この図は、設置した状態と収納した状態を図画的に表現いたしました。
【発明を実施するための形態】
【０００８】使用しないときは、雫受けをセットして壁に掛けて収納できる。
【図１】
2015051248.tif 000003
【図２】
2015051248.tif 000004
【図３】
2015051248.tif 000005
(57)【要約】【課題】ネームカードホルダーは、名刺を保管した同一場所に名刺と情報カードを保管することができなかった。情報カードの取り出しをしやすくするために、情報カードの右肩につまみがついていなかった。このようなことを解消するために提供する。【解決手段】ネームカードホルダーに名刺を保管する袋の中間に切り目を入れカンガルー・ポケットの袋を設けた。この袋は、名刺を差し込んだ別の入り口から情報カードを差し込むことができ名刺を保管した同一場所に名刺と情報カードを保管することができる。また情報カードに必要事項を書き込み、情報カードを先に差し込んでも情報カードが幾分カンガルー・ポケットより情報カードが頭を出しているので情報カードの背の部分に名刺が差し込まれる。情報カードの右肩につまみがつているので追加の情報を記載する場合、取り出しが楽に出来ることを特徴とするネーム情報カードホルダー。【選択図】図３
2015051620.tif 000002
【特許請求の範囲】
【請求項１】
ネーム情報カードホルダーに名刺を入れる袋を設け、その袋の中間に切り目を入れ、カンガルー・ポケットの袋を設け、そこに情報カードを出し入れ自在としたことを特徴とするネーム情報カードホルダー。
【請求項２】
情報カードは右肩につまみ部分を設けた請求項１のネーム情報カードホルダー。
【発明の詳細な説明】
【技術分野】
【０００１】  本発明は、ネームカードホルダーに名刺を入れる袋の中間に切り目を入れカンガルー・ポケットを設け、情報カードの右肩につまみ部分を設けたネームカードホルダーに関するものである。
【背景技術】
【０００２】  従来、ネームカードホルダーは、名刺と情報カードは別々の袋に入れるネームカードホルダーがあった。
【発明の概要】
【発明が解決しようとする課題】
【０００３】  従来のネームカードホルダーは、次のような問題点があった。
（イ）従来のネームカードホルダーは、名刺を保管した同一場所に名刺と情報カードを保管することができなかった。
（ロ）情報カードの取り出しをしやすくするために、情報カードの右肩につまみがついていなかった。
本発明は、これらの問題を解決するためになされたものである。
【課題を解決するための手段】
【０００４】  ネームカードホルダーに名刺を保管する袋の中間に切り目を入れカンガルー・ポッケトの袋を設ける。
この袋は、名刺を差し込んだ別の入り口から情報カードを出し入れ自在に差し込むことができる。
情報カードの右肩につまみを設け、追加の情報を記載する場合、つまみを使って取り出しが楽に出来る。
以上を特徴とするネーム情報カードホルダーである。
【発明の効果】
【０００５】  面談後、ネーム情報カードホルダーに名刺を差し込み、情報カードにお客様との面談月日、名前の読み方及び用件を記載し、備考欄にお客様の特徴を記載する、面談後の感想を記載しカンガルー・ポケットに情報カードを差し込む。
いざお客様が再度来社されたとき、名前の読み方がわからない、面談日はいつだったか、あわててネームカードホルダーをめくり名刺を探し出していた。
このネーム情報カードホルダーであれば、インパクトの強い言葉で記載しておけば、めくって行くだけで簡単にお客様の名刺が見つかり当時の情報も入手できる。
追加の情報を記載する場合、情報カードのつまみを引き出し追加の情報を記載することができる。以上を特徴とするネーム情報カードホルダーである。
【図面の簡単な説明】
【０００６】
【図１】本発明のネーム情報カードホルダーの斜視図である。
【図２】本発明の情報カードの平面図である。
【図３】本発明のネーム情報カードホルダーに名刺及び情報カードを差し込んだ斜視図である。
【発明を実施するための形態】
【０００７】  以下、本発明の実施の形態について説明する。
（イ）図１のようにネーム情報カードホルダー（１）に差し込む袋（７）の中間に切り目（２）を設けることで、カンガルー・ポケット（３）を袋状にする。図３のように名刺（６）を差し込む袋（７）に入れ、情報カード（４）を切り目（２）よりカンガルー・ポケット（３）に差し込み情報カード（４）が入れられた状態は、名刺（６）と情報カード（４）を同一場所に保管するためのカンガルー・ポケット（３）である。またその状態は、情報カード（４）が幾分カンガルー・ポケット（３）の切り目（２）より情報カード（４）が頭を出しているので情報カード（４）の背の部分に名刺（６）が差し込まれる。
（ロ）図２のように情報カード（４）に追加の記載をする場合は、情報カード（４）の上部につまみ（５）を設け、このつまみ（５）を使って取り出すことができる。
本発明は以上のような構造である。
本発明を使用するときは、面談後、図３のようにネーム情報カードホルダー（１）に名刺（６）を差し込む袋（７）から差し込み、情報カード（４）にお客様との面談月日、名前の読み方及び用件を記載し、備考欄にお客様の特徴を記載する、面談後の感想を記載しカンガルー・ポケット（３）に情報カード（４）を切り目（２）から差し込む。
いざお客様が再度来社されたとき、名前の読み方がわからない、面談日はいつだったか、あわててネームカードホルダーをめくり名刺を探し出していた。
このネーム情報カードホルダー（１）であれば、インパクトの強い言葉で記載しておけば、めくって行くだけで名刺（６）と同一場所に情報カード（４）があるので、簡単にお客様の名刺が見つかり当時の情報も入手できる。追加の情報を記載する場合、情報カード（４）のつまみ（５）を引き出し追加の情報を記載することができる。
【符号の説明】
【０００８】１    ネーム情報カードホルダー
２    切り目
３    カンガルー・ポケット
４    情報カード
５    つまみ
６    名刺
７    差し込む袋
【図１】
2015051620.tif 000003
【図２】
2015051620.tif 000004
【図３】
2015051620.tif 000005